(57)【要約】 【課題】  全高を低くすることができる排水接続管、また、全高を抑えながら同時に排水性能を損なうことのない排水接続管を提供する。【解決手段】  槽体５０からの排水を下位の排水管へ導く本体２と、本体２の上端と槽体５０の底部に設けられた排水栓５２とを接続する排水栓接続部３と、槽体５０の側部に設けられた溢水口に通じる導水管に一端が接続され、他端が本体２の側面に接続され、溢水口からの排水を本体２内へ導く枝管４とを備え、枝管４は、枝管４の上辺が排水栓接続部３の下端よりも高い位置から下方に向かうことにより排水栓接続部３を避けてから本体２に接続される。【選択図】図２
2013181346.tif 000002
【特許請求の範囲】
【請求項１】
槽体からの排水を下位の排水管へ導く本体と、
前記本体の上端と前記槽体の底部に設けられた排水栓とを接続する排水栓接続部と、
前記槽体の側部に設けられた溢水口に通じる導水管に一端が接続され、他端が前記本体の側面に接続され、前記溢水口からの排水を前記本体内へ導く枝管とを備える排水接続管であって、
前記枝管は、
前記枝管の上辺が前記排水栓接続部の下端よりも高い位置から下方に向かうことにより前記排水栓接続部を避けてから前記本体に接続される
ことを特徴とする排水接続管。
【請求項２】
前記枝管は、
前記枝管の上辺が前記排水栓接続部の下端よりも高い位置から前記枝管の長手方向中心軸に対して傾斜して下方へ向かうことにより前記排水栓接続部を避けてから前記本体に接続される
ことを特徴とする請求項１記載の排水接続管。
【請求項３】
前記枝管の上辺は、
前記枝管の長手方向中心軸に対して４５°以下で傾斜している
ことを特徴とする請求項２記載の排水接続管。
【請求項４】
前記枝管の上辺は、
異なる傾斜角の複数の傾斜部分で構成され、
前記本体から遠くに位置する傾斜部分の傾斜角が大きくなっている
ことを特徴とする請求項２または３記載の排水接続管。
【請求項５】
前記枝管の排水流路の下辺が、
前記本体に向かって下方へ傾斜している
ことを特徴とする請求項１〜４のいずれか１項に記載の排水接続管。
【発明の詳細な説明】
【技術分野】
【０００１】
本発明は、洗面台、流し台、浴槽等の槽体に接続されて槽体からの排水を排水管へと導く排水接続管に関する。
【背景技術】
【０００２】
排水接続管は、槽体の排水口と下位の排水管とを接続する部材である。一般に、排水接続管の側面には枝管が設けられており、枝管と槽体の溢水口とを導水管等で接続することにより、溢水口から流出する水を排水接続管の本体内へと導いている。
【０００３】
排水接続管を直接、排水口に接続する構造にすると、槽体の設置条件に応じて枝管の向きを調整することが困難になる。また、施工現場では必ずしも取り付け作業に必要なスペースを確保できるとは限らない。そのため、排水接続管は槽体の排水口に取り付けた排水栓を介して槽体に接続されるものが多い。排水栓と排水接続管との接続は、排水接続管の上部または排水栓の下部のいずれか一方の周囲を覆うように袋ナットを装着し、他方にねじ山を刻んで両者を螺合させることにより行う。
【０００４】
近年、排水接続管の構造にも様々な工夫が凝らされるようになり、例えば特許文献１では、枝管の内部に防壁を設けることにより排水時の空気の引き込みによる騒音を防止する水槽のオーバーフロー流路の構造が開示されている。
【先行技術文献】
【特許文献】
【０００５】
【特許文献１】特許第３４８３１０１号公報
【発明の概要】
【発明が解決しようとする課題】
【０００６】
ところで、近年、バリアフリー化や収納空間の確保等の要請から、配管空間を狭くすることが求められており、排水接続管の全高もなるべく低くすることが望まれている。しかしながら、排水接続管の本体の上端には、排水栓との接続部を設けるために、常に一定のスペースが必要となることから、本体の全高を低くすることが難しいという問題がある。
【０００７】
また、特許文献１における防壁を管内に設けると、壁面が管内で水流の障害となって乱流を発生させ、枝管の排水性能を悪化させてしまうおそれがある。
【０００８】
そこで、本発明は、かかる問題点に鑑みなされたものであり、全高を低くすることができる排水接続管を提供することを目的とし、また、全高を抑えながら同時に排水性能を損なうことのない排水接続管を提供することを目的とする。
【課題を解決するための手段】
【０００９】
上記目的を達成するために、本発明に係る排水接続管は、槽体からの排水を下位の排水管へ導く本体と、前記本体の上端と前記槽体の底部に設けられた排水栓とを接続する排水栓接続部と、前記槽体の側部に設けられた溢水口に通じる導水管に一端が接続され、他端が前記本体の側面に接続され、前記溢水口からの排水を前記本体内へ導く枝管とを備える排水接続管であって、前記枝管は、前記枝管の上辺が前記排水栓接続部の下端よりも高い位置から下方に向かうことにより前記排水栓接続部を避けてから前記本体に接続されることを特徴とする。
【００１０】
これによれば、枝管の上辺が排水栓接続部の下端よりも高い位置にある、すなわち、枝管が排水栓接続部と同じ高さの位置に配された状態で、排水栓接続部の取り付け空間を確保するために枝管を下方へ向かわせて排水栓接続部を避けるので、本体の全高を低くすることができる排水接続管が実現される。
【００１１】
ここで、前記枝管は、前記枝管の上辺が前記排水栓接続部の下端よりも高い位置から前記枝管の長手方向中心軸に対して傾斜して下方へ向かうことにより前記排水栓接続部を避けてから前記本体に接続されるのが好ましい。
【００１２】
これによれば、枝管の上辺を傾斜させることにより排水栓接続部を避けるので、管内面が水流の障害となりにくく、排水性能を損なうことがない排水接続管が実現可能となる。
【００１３】
また、前記枝管の上辺は、前記枝管の長手方向中心軸に対して４５°以下で傾斜していることが望ましい。これによれば、枝管内の水流の抵抗がさらに軽減される。
【００１４】
また、前記枝管の上辺は、異なる傾斜角の複数の傾斜部分で構成され、前記本体から遠くに位置する傾斜部分の傾斜角が大きくなっているのが望ましい。これによれば、排水性能を保ったまま排水接続管の全高をさらに低くすることが可能となる。
【００１５】
さらに、前記枝管の排水流路の下辺が、前記本体に向かって下方へ傾斜しているのが好ましい。これによれば、枝管の底部に排水が溜まることがなく、本体に向かって排水が流れやすくなり、枝管の排水性能をさらに向上させることができる。
【発明の効果】
【００１６】
上述のように、本発明に係る排水接続管によれば、枝管が排水栓接続部と同じ高さに位置し、排水栓接続部に合わせて枝管の上辺を下方に向けることで排水栓接続部を避けているので、本体の全高を低くすることができる。また、枝管の上辺を傾斜させて排水栓接続部を避ける構成にすることで、乱流が発生しにくく、排水性能も維持することができる排水接続管も実現可能である。
【図面の簡単な説明】
【００１７】
【図１】本発明の実施形態に係る排水接続管の構造を示す断面図である。
【図２】図１の排水接続管を排水栓に接続した状態を示す断面図である。
【図３】別の排水栓を用いる場合の実施形態を示す断面図である。
【図４】図２と同様の排水栓で、袋ナットを排水栓側に設ける場合の実施形態を示す断面図である。
【図５】図３と同様の排水栓で、袋ナットを排水栓側に設ける場合の実施形態を示す断面図である。
【発明を実施するための形態】
【００１８】
以下、本発明の実施形態について、図面を参照しながら説明する。
【００１９】
図１は、本発明の実施形態に係る排水接続管の構造を本体の縦断面により示す図である。
【００２０】
排水接続管１は、底部に排水口を有し側部に溢水口を有する槽体の排水口に排水栓を介して接続され、排水口および溢水口からの排水を下位の排水管へと導く排水接続管であって、主として本体２、排水栓接続部３および枝管４により構成されている。
【００２１】
本体２は槽体と下位の排水管とを結ぶ管であり、その上端には排水栓と接続するための排水栓接続部３が設けられている。排水栓接続部３は、排水栓の下端部と螺合する袋ナット３１が本体２の上端部分に嵌めこまれ、本体２の外周を覆うように装着されることにより構成されている。袋ナット３１の下端の内側には鍔部分３２が形成されており、鍔部分３２は、本体２の外周部に形成されたフランジ２１とその上側に装着するＣ字リング３３との間に挟まれている。これにより、袋ナット３１は、本体２に対して上下には動かないように固定されているが、周方向には自由に回すことができる。本体２の下端には、下位の排水管と接続するためのねじ山２２が形成されている。
【００２２】
枝管４は、槽体の溢水口からの排水を本体２内へ導いて流入させるための管である。枝管４の一端は、排水栓接続部３の下側で本体２の側面に接続されて本体接続口４１が形成されており、他端は、導水管からの排水を流入させる導水管接続口４２が形成されている。導水管接続口４２の周囲には、導水管と接続するためのねじ山４３が設けられている。
【００２３】
ここで、枝管４は、長手方向に垂直な一定の断面を有する横向きの管であり、枝管４の上辺の一部が２つの連続する傾斜部分Ｐ１およびＰ２により形成されている。第一の傾斜部分Ｐ１は、管の長手方向の中心軸Ｘと略平行であるが、水平方向に対して傾斜している部分であり、本体２に向かって下方へ傾斜し、枝管４の上辺のうち、袋ナット３１の外周の下端近傍の位置にある切替点Ａから本体接続口４１に至る部分を構成する。また、第二の傾斜部分Ｐ２は、水平方向だけでなく、管の長手方向の中心軸Ｘに対しても傾斜している部分である。第二の傾斜部分Ｐ２は、第一の傾斜部分Ｐ１よりも本体２から遠くに位置して、第一の傾斜部分Ｐ１よりも水平方向に対して大きく傾斜しており、枝管４の上辺のうち、切替点Ａから導水管との接続部分を構成するねじ山４３に至る部分を構成する。
【００２４】
すなわち、枝管４の上辺は、導水管との接続部分から本体２との接続部分の区間において、本体に向かって下方へ傾斜する第一の傾斜部分Ｐ１および第二の傾斜部分Ｐ２の連続する傾斜部により形成されている。傾斜部は、排水栓接続部３の下端よりも高い位置から、ここでは導水管との接続部分から切替点Ａに向かって一定の傾斜でなだらかに下降し、そこで大きく傾斜を緩めて本体２との接続部分に至っている。
【００２５】
なお、切替点Ａの位置は任意に選択可能である。また、第一の傾斜部分Ｐ１および第二の傾斜部分Ｐ２の水平方向に対する傾斜角および管の長手方向の中心軸Ｘとなす傾斜角についても任意に選択可能である。なお、第二の傾斜部分Ｐ２の傾斜角を第一の傾斜部分Ｐ１の傾斜角よりも大きくとる方が、排水栓接続部３を構成するために必要な空間を、本体２に近い第一の傾斜部分Ｐ１の区間で確保しやすくなるので好ましい。一方、管の長手方向の中心軸Ｘとなす傾斜角を大きくとりすぎると、枝管４の内部で傾斜部と衝突する水流の向きが急激に変化することにより乱流が発生し、排水効率を低下させてしまうおそれがある。したがって、管内の水流の変化を穏やかなものとするために、傾斜部と管の長手方向の中心軸Ｘとなす傾斜角αがなるべく４５°以下となるようにすることが好ましい。傾斜部が複数の傾斜部分からなる場合には、各傾斜部分同士の位置関係を上記の角度となるよう決定するのが望ましい。
【００２６】
一方、枝管４の排水流路の下辺、すなわち、横方向に延びる管の底部は、本体の下方に向かって緩やかに傾斜している。本実施形態では、円筒の側面を本体の下方に向かって傾けた形状を有している。
【００２７】
図２は、排水接続管１が槽体の排水口に設けられた排水栓に接続された状態を、図１と同様の断面図により示したものである。
【００２８】
槽体５０の底部には排水口５１が設けられており、排水口５１には排水栓５２が内側からはめ込まれ、ナット５３により外側から固定されている。
【００２９】
排水接続管１は、図２に示すように、排水栓５２の下部に本体２の上端を挿入しつつ袋ナット３１を排水栓５２の下部外周部に形成されたねじ山５４と螺合させることにより接続される。一方、枝管４の導水管接続口４２は導水管（図示せず。）に接続され、導水管は槽体５０の側面等に設けられた溢水口に接続される。また、排水接続管１の下端は、ねじ山２２を用いて、下位の排水管に接続される。
【００３０】
槽体５０の底部から排水口５１を通じて排出された水は、排水栓５２に接続された排水接続管１の本体２の内部を通過し、さらに下位の排水管へと導かれる。
【００３１】
一方、槽体５０の溢水口から排出された水は、溢水口に接続された導水管を経由して導水管接続口４２から枝管４内に流入する。
【００３２】
枝管４は、導水管接続口４２の近傍で、枝管４の上辺が排水栓接続部３の下端よりも高い位置にある。つまり、枝管４は排水栓接続部３と同じ高さの位置に配されていながら、枝管４の上辺が第一の傾斜部分Ｐ１および第二の傾斜部分Ｐ２により本体２に向かって下方へ傾斜することで排水栓接続部３を避ける構成になっているので、枝管４の本体２との接続位置を縦方向に詰めることができ、排水接続管１の全高を低く抑えることができる。
【００３３】
また、排水栓接続部３の取り付け空間を確保するために、枝管４の上辺を傾斜させているので、管内面が水流の障害となって乱流を生じさせにくく、水流を妨げることがない。ここで、枝管４は、本体接続口４１が縦方向の寸法において導水管接続口４２よりも小さくなっており、枝管４の断面積は本体２の排水栓接続部３に接近するに従って漸減している。しかし、枝管４の上辺が本体に向かって下方へ傾斜しているため、枝管４の断面が本体接続口４１の付近で狭くなっていても、枝管４の内面が水流の障害となることはない。さらに、枝管４の下辺が本体２に向かって下方へ傾斜する傾斜部により形成されているため、排水は常に本体接続口４１に向かって流れようとし、枝管４の内部に溜まらない。このように、上辺と下辺とが作用することにより、本体接続口４１の断面積が導水管接続口４２の断面積より小さくても、枝管４の排水性能が損なわれることはない。
【００３４】
なお、図３に示すように、他の実施形態として、槽体５０ａの底部に排水口５１ａを槽体５０ａと一体的に形成し、その周囲にビス穴５５を設けて外部からビス等（図示せず。）により排水栓５２ａを取り付け、これに排水接続管１ａを接続する方式のものであってもよい。この場合、排水接続管１ａと排水栓５２ａとの接続部からの漏水を防止するために本体２ａの上端にはパッキン５６が設けられる。
【００３５】
また、これらの実施形態においては、袋ナット３１および袋ナット３１ａの鍔部分３２および鍔部分３２ａを本体２および本体２ａの周囲で上下方向に固定することとしたが、排水栓側で固定することもできる。
【００３６】
図４に図２の袋ナットを排水栓側で上下に固定するようにした場合の実施形態を示す。また、図５に図３の袋ナットを排水栓側で上下に固定するようにした場合の実施形態を示す。
【００３７】
図４において、袋ナット３１ｂはナット５３ａとＣ字リング３３ｂとの間に鍔部分３２ｂが挟まれることにより、上下方向に動かないよう固定されている。また、図５において、袋ナット３１ｃは排水栓５２ｃに形成されたフランジ５７とＣ字リング３３ｃとの間に鍔部分３２ｃが挟まれることにより上下方向に動かないよう固定されている。本体２ｂの上端にはねじ山２３が形成されており、排水栓５２ｂまたは排水栓５２ｃの下端を本体２ｂの上端に挿入しつつ、ねじ山２３を袋ナット３１ｂまたは袋ナット３１ｃと螺合させることにより、排水接続管１ｂを排水栓５２ｂまたは排水栓５２ｃに接続する。
【００３８】
このように排水栓接続部の構成が変わっても、本実施形態に係る排水接続管によれば、枝管の上辺を排水栓接続部の下端よりも高い位置から傾斜させて排水栓接続部を避ける構成としているので、枝管の排水性能を悪化させずに、本体の全高を低く抑えることができる排水接続管が実現されることとなる。なお、排水栓接続部を備える排水接続管である限り、槽体の底部の排水栓が槽体の排水口に取り付けられている場合はもとより、排水栓が槽体に一体的に設けられているものであっても適用可能であることはいうまでもない。
【００３９】
以上、本発明に係る排水接続管について実施形態に基づいて説明したが、本発明はこれらに限定されるものではなく、本発明の目的を達成でき、かつ発明の要旨を逸脱しない範囲内で種々の設計変更が可能である。
【００４０】
例えば、上記実施形態においては、導水管接続口から本体接続口に至る壁面の一部を２つの傾斜部分により構成したが、１つの傾斜部分のみで構成してもよいし、３つ以上の傾斜部分によって構成することも可能である。また、一部の区間のみが傾斜して、他の区間が水平となっていてもよい。さらに、傾斜ではなく、本体と略平行に下方へ向かうことで排水栓接続部を避ける構成としてもよい。
【００４１】
また、本実施形態では、枝管の断面積が漸減するようにしたが、上辺に傾斜部分が形成された部分の断面が横に広くなるように枝管の形状を変更することにより、断面積が一定または漸増するようにしてもよい。
【産業上の利用可能性】
【００４２】
本発明に係る排水接続管は、洗面台、流し台、浴槽等の槽体の配管に用いる排水接続管として有用であり、特に、全高を低くすることが求められる排水接続管として好適である。
【符号の説明】
【００４３】
１，１ａ，１ｂ                  排水接続管
２，２ａ，２ｂ                  本体
３，３ａ，３ｂ                  排水栓接続部
４                              枝管
２１，５７                      フランジ
２２，２３，４３，５４          ねじ山
３１，３１ａ，３１ｂ，３１ｃ    袋ナット
３２，３２ａ，３２ｂ，３２ｃ    鍔部分
３３，３３ａ，３３ｂ，３３ｃ    Ｃ字リング
４１                            本体接続口
４２                            導水管接続口
５０，５０ａ                    槽体
５１，５１ａ                    排水口
５２，５２ａ，５２ｂ，５２ｃ    排水栓
５３，５３ａ                    ナット
５５                            ビス穴
５６，５６ａ，５６ｂ            パッキン
【図１】
2013181346.tif 000003
【図２】
2013181346.tif 000004
【図３】
2013181346.tif 000005
【図４】
2013181346.tif 000006
【図５】
2013181346.tif 000007
【手続補正書】
【提出日】平成24年5月23日(2012.5.23)
【手続補正１】
【補正対象書類名】特許請求の範囲
【補正対象項目名】全文
【補正方法】変更
【補正の内容】
【特許請求の範囲】
【請求項１】
槽体からの排水を下位の排水管へ導く本体と、前記本体の上端と前記槽体の底部に設けられた排水栓とを接続する排水栓接続部と、前記槽体の側部に設けられた溢水口に通じる導水管に一端が接続され、他端が前記本体の側面に接続され、前記溢水口からの排水を前記本体内へ導く枝管とを備える排水接続管であって、前記枝管は、前記枝管の上辺が前記排水栓接続部の下端よりも高い位置から前記枝管の長手方向中心軸に対して任意の角度を有して下方に向かうことにより前記排水栓接続部を避けてから前記本体に接続されることを特徴とする排水接続管。
【請求項２】
前記枝管は、前記枝管の上辺が前記排水栓接続部の下端よりも高い位置から前記枝管の長手方向中心軸に対して傾斜して下方へ向かうことにより前記排水栓接続部を避けてから前記本体に接続されることを特徴とする請求項１記載の排水接続管。
【請求項３】
前記枝管の上辺は、前記枝管の長手方向中心軸に対して４５°以下で傾斜していることを特徴とする請求項２記載の排水接続管。
【請求項４】
前記枝管の上辺は、異なる傾斜角の複数の傾斜部分で構成され、前記本体から遠くに位置する傾斜部分の傾斜角が大きくなっていることを特徴とする請求項２または３記載の排水接続管。
【請求項５】
前記枝管の排水流路の下辺が、前記本体に向かって下方へ傾斜していることを特徴とする請求項１〜４のいずれか１項に記載の排水接続管。
【手続補正２】
【補正対象書類名】明細書
【補正対象項目名】０００９
【補正方法】変更
【補正の内容】
【０００９】
上記目的を達成するために、本発明に係る排水接続管は、槽体からの排水を下位の排水管へ導く本体と、前記本体の上端と前記槽体の底部に設けられた排水栓とを接続する排水栓接続部と、前記槽体の側部に設けられた溢水口に通じる導水管に一端が接続され、他端が前記本体の側面に接続され、前記溢水口からの排水を前記本体内へ導く枝管とを備える排水接続管であって、前記枝管は、前記枝管の上辺が前記排水栓接続部の下端よりも高い位置から前記枝管の長手方向中心軸に対して任意の角度を有して下方に向かうことにより前記排水栓接続部を避けてから前記本体に接続されることを特徴とする。
【手続補正３】
【補正対象書類名】明細書
【補正対象項目名】００１０
【補正方法】変更
【補正の内容】
【００１０】
これによれば、枝管の上辺が排水栓接続部の下端よりも高い位置にある、すなわち、枝管が排水栓接続部と同じ高さの位置に配された状態で、排水栓接続部の取り付け空間を確保するために枝管を枝管の長手方向中心軸に対して任意の角度をつけて下方へ向かわせて排水栓接続部を避けるので、本体の全高を低くすることができる排水接続管が実現される。